Podtech/llm-jp-corpus-v4-ja_patent huggingface dataset:
(57)【要約】      （修正有）【課題】表と裏で色の異なる帯状体を捩じることで作成した、立体的に異なる色が縞状に配置した注意喚起用の帯状体において、表面に皺のない帯状体を提供する。【解決手段】発泡体の両面に、エンボス加工された紙が積層されていることを特徴とする帯状体であり、紙の色が、黄色と黒色の組み合わせである。紙の表面にエンボス（凹凸）加工を施すことで、捩じった際に紙に発生する歪を分散させることができ、その結果、皺のない注意喚起用の帯状体を作成することができる。【選択図】なし【特許請求の範囲】
【請求項１】
発泡体の両面に、エンボス加工された紙が積層されていることを特徴とする帯状体。
【請求項２】
紙の色が、黄色と黒色の組み合わせであることを特徴とする請求項１記載の帯状体
【請求項３】
捩じれていることを特徴とする請求項２記載の帯状体
【発明の詳細な説明】
【技術分野】
【０００１】    注意喚起に用いられる帯状体に関する。
【背景技術】
【０００２】黄色部と黒色部が縞状に配置された注意喚起用の帯状体が使用されている。
【発明の概要】
【発明が解決しようとする課題】
【０００３】表と裏で色の異なる帯状体を、捩じることで、異なる色を縞状に配置することができる。しかし、捩じることで表面に皺が発生し、美観を損ねてしまう問題点があった。
【課題を解決するための手段】
【０００４】本発明の発明者は、鋭意検討の結果、エンボス（凹凸）加工された紙を、発泡シートの両面に積層させた積層体は、捩じった際のひずみが分散されることで、目視で確認できるような皺がよらないことを見出し、本発明を完成させた。
【発明の効果】
【０００５】本発明によれば、表と裏で色の異なる帯状体を、捩じるだけという簡単な操作によって、注意喚起用の帯状体を形成させることができる。
【発明を実施するための形態】
【０００６】紙は、パルプ等の繊維を、絡ませながら薄く平らに成形し、繊維同士を糊剤で膠着させて製造したものを差し、本発明においては、特にクラフトパルプを漂白した後に、着色したものが好適に使用される。
また、エンボス加工とは、表面に凹凸を形成させる処理のことで、断熱性エンボス紙コップ等の用途に広く使われている加工法である。
また、発泡体とは、一般に合成樹脂中にガスを細かく分散させ、多孔質形状に成形した成形体を差し、本発明においては、ポリエチレン発泡シートが好適に使用される。
【実施例】
【０００７】市販の発泡シートの両面に、市販のクラフトテープを積層し、凹凸を有する金属板の間で、圧縮成形を行い、クラフト紙表面に凹凸を形成させた。形成された凹凸は、間隔が１ｍｍであり、高低差が、約０．１ｍｍであった。
この積層体を、１５ｍｍの幅に帯状に切断することで、長さ１ｍの評価サンプルを作成した。評価サンプルを７回捩じった後に、両端を結ぶことで固定し、目視により、表面観察を行った。紙表面には、皺は全く認められなかった。
【比較例】
【０００８】凹凸形成を行わなかったこと以外は、実施例１と同様に、評価サンプルを作成し評価を行った。この場合には、紙表面に、大きな皺が発生した。
(57)【要約】【課題】  調理時に用いられるヘラやマッシャーに関し、本来固定、固着され、限られた使用用途である上に、使用目的ごとに個別にそれぞれ入手し、なおいびつな一定の形状であるために、必要以上に手間やスペースを必要としていたヘラやマッシャーが片手で容易に角度を変更し、使用目的ごとに別の調理器具に変換可能であるヘラ兼マッシャーを提供する。【解決手段】  従来一体であったヘラ等の調理器具であるが、図５で示すように柄８とヘラの部分１の接合部であるヘラ後方部４をインサートナット５の格納部とし、柄８のヘラ後方部４との接合部をフランジナット付きボルト６とし、円柱のインサートナット５を支点に角度変更又は、柄とヘラの部分を脱着可能とし、ヘラとしての使用用途以外に様々な調理器具に変換し、収納面、コスト面、調理スピードにおいて今までにない向上を図る。【選択図】図５
2020168337.tif 000002
【特許請求の範囲】
【請求項１】
柄（８）とヘラの部分（１）の接合部（４）に角度を変更するための円柱の側面にボルト穴を持つインサートナット（５）を埋め込み、柄を回すことで、フランジナット付きボルト（６）を締めたり、緩めたりし、
片手で容易に角度変更できることを特徴とするヘラ兼マッシャー。
【請求項２】
柄（８）とヘラの部分（１）の接合部（６）は、ボルト式で脱着可能であるためヘラの部分（１）に別のアタッチメント（調理器具）を取り付けることができる請求項１に記載のヘラ兼マッシャー。
【発明の詳細な説明】
【技術分野】
【０００１】    本発明は、調理時に用いられるヘラやマッシャー等の調理器具に関し、片手で容易に角度を変更し、ヘラからマッシャーなどと、使用用途を変換できる脱着式角度自在ヘラ兼マッシャーに関する。
【背景技術】
【０００２】    従来のヘラやマッシャーなどの調理器具は、一般に固定、固着されているため、一定の角度でありそれぞれ限られた使用用途であった。【０００３】    又、調理目的ごとにヘラやマッシャー等をそれぞれ個別に入手しなければならず、普    段あまり使わないものでも買いそろえる必要があった。【０００４】    又、マッシャーなどは、いびつな形状であるため調理時や収納時に必要以上にスペースを必要とし、収納時に至ってはマッシャーの柄以外の部分のおさまりが非常に悪く、壁掛け収納の場合は不意に体に引っ掛けるなど怪我をする危険があった。
【先行技術文献】
【特許文献】
【０００５】
【特許文献１】特開２００１−３１４３３１号公報
【特許文献２】特開２００５−０９５６９３号公報
【発明の概要】
【発明が解決しようとする課題】
【０００６】    本発明は、調理時に用いられるヘラやマッシャーなどの調理器具に関し、本来固定、固着され、限られた使用用途である上に、使用目的ごとにそれぞれ個別に入手し、ものによってはいびつな一定の形状であるために必要以上にスペースを奪っていたヘラやマッシャーなどが本発明を一つ入手するだけで、片手で容易に角度を変更し、調理時の使用目的ごとにヘラやマッシャーなどの様々な調理器具に変換でき、収納面、コスト面、調理スピードにおいて、今までにない向上を図ることを目的とするヘラ兼マッシャーを提供する。
【課題を解決するための手段】
【０００７】    図３、図４で示すように、柄８とヘラの部分１の接合部であるヘラ後方部４に円柱状の側面にボルトの穴があるインサートナット５の格納部を設け、柄８を回転させることによって、フランジナット付きボルト６を緩め、インサートナット５を支点に角度を変更し、柄８とヘラの部分１が９０度の状態では、単なるヘラであった物が、マッシャーに変換することができる。
【発明の効果】
【０００８】    図６で示すように一つのヘラが１８０度時で、半解凍の物を削り、９０度ではこねたり、潰したり、混ぜる等でき、２８度では、通常どうり使用でき、収納時も１８０度にすることで場所を取ることがなくなる。【０００９】    又、図４で示すように柄（６、７、８）とナット（５）と、ヘラの部分（１，４）はそれぞれ分解可能であり、隅々まで洗浄可能であり、ヘラの部分（１，４）に関しては、別のアタッチメント（調理器具）を取り付けることができる。
【図面の簡単な説明】
【００１０】
【図１】  全体図
【図２】  ヘラ部分姿図
【図３】  接合部分の拡大図
【図４】  接合部分分解図
【図５】  角度変更例
【図６】  当発明使用例
【発明を実施するための形態】
【実施例】
【００１１】    本発明の実施例を図５、図６で説明するが、これにより、本発明の使用方法を限定するものではない。【００１２】    通常どうり返しヘラとして使用する場合は、図５、図６のように、２８度の角度で柄８を回転させヘラの後方部分４にフランジナット付きボルト６を締め付け固定させて使用する。【００１３】    マッシャーとして使用する場合は、図５、図６であるように９０度の状態で固定し、使用する。【００１４】    １８０度の状態では鋭利になっているヘラの先端部２を利用して半解凍のものを削ることができ、この状態では収納時にスペースをあまり必要としない。【００１５】    例であるが、ハンバーグなどであれば、１８０度の状態で、半解凍のひき肉を削り、９０度の状態で食材を混ぜ、そしてこね、つぶし、ねり、２８度の状態で、フライパンで焼き、完成まで直接手で食材に触れずに手を汚すことなく調理できる。
【産業上の利用可能性】
【００１６】    本発明は、従来の柄とヘラの接合部に円柱のナット格納部と、角度変更時のボルトの通る溝を設けただけの単純な構造であるため、大量生産する場合であっても、コストがあまりかからず、なおボルトとナットはステンレス製であるため、
錆等に強く長期使用が可能となる上、収納スペースもさほど必要がない優れたものである。
【符号の説明】    １      ヘラ部分
２      ヘラ先端部分
３      マッシャー使用時用の穴
４      ヘラ後方ナット格納部分
５      ステンレス製円柱型インサートナット
６      ステンレス製フランジナット付きボルト
７      柄のステンレス製金属部
８      柄
【受託番号】
【・・・・】
【配列表フリーテキスト】
【図１】
2020168337.tif 000003
【図２】
2020168337.tif 000004
【図３】
2020168337.tif 000005
【図４】
2020168337.tif 000006
【図５】
2020168337.tif 000007
【図６】
2020168337.tif 000008
(57)【要約】      （修正有）【課題】片方の足に麻痺があり歩くことができる人がより速く安定して歩く方法を提供する。【解決手段】スクワットをして筋肉に負荷を与えると筋肉が増大し力がつくという技術により、スクワットをして大腿四頭筋（足のももの足の前部の筋肉）に負荷を与え鍛え片方の足に麻痺があり歩くことができる人がスクワットをして大腿四頭筋（足のももの足の前部の筋肉）に負荷を与え鍛えて、より速く安定して歩くことができるようになる。【選択図】なし【特許請求の範囲】
【請求項１】
片方の足に麻痺があり歩くことができる人が  スクワットすることにより、より速く安定して歩く方法。
詳細は、筋肉に負荷を与えると筋肉が増大し力がつくという自然の法則を利用し大腿四頭筋（足のももの足の前部の筋肉）を鍛えた。具体的には両手で手すりをつかみ、スクワットを５，６回し１０分から１時間の休憩をおいて朝８時から１２時までと１３時から１７時までスクワットおこなった。また７．４メートルの距離を  はや歩きで何秒かかるか  スクワットする前とあとで日にちをおいて測定した。
直立して片手で手すりをつかみもう一方の手で足のももの足の前部をふれると大腿四頭筋は柔らかく、中腰になって足のひざを小さく曲げると大腿四頭筋は固くなり大腿四頭筋は部分的に体重をささえている。また片手で手すりをつかみもう一方の手の平を大腿四頭筋にふれ体重を左右に移動させると大腿四頭筋は固くなったり少し柔らかくなったりする。よって大腿四頭筋は部分的に体の左右のバランスをとっていることが解る。そして歩く時も体重を左右に移動させるので大腿四頭筋は部分的に体の左右のバランスをとっていることが解る。よって  スクワットをして大腿四頭筋に負荷をかけ鍛えればより安定し速く歩くことができることが解る。
平成３０年１１月２７日から  スクワットを始めその時の７．４メートルの距離をはや歩きで歩き  平成３０年１１月２４日かかった時間が１回目９．１６秒２回目９．４７秒３回目９．５４秒、その１ヶ月後の平成３０年１２月２４日の測定でかかった時間も１回目８．８１秒２回目９．０７秒３回目９．０４秒だった。平成３１年１月２４日は１回目９．０６秒２回目９．５６秒３回目８．３９秒だった。平成３０年１１月２７日から約３か月後の２月２４日は１回目８．９０秒２回目８．２６秒３回目８．５４秒だった。このことにより大腿四頭筋を鍛えれば速く安定して歩くことができることが解る。はや歩の時間を測った時計はストップウオッチでＳＥＩＫＯ  Ｓ０６２ストップウオッチソーラーインターバルタイマー製造番号８５１９９２。
１日の内スクワットをした時間は朝９時から１２時までと１３時から１７時まででその時間の中で両手で手すりにつかまり直立した状態からしゃがんでまた立ち上がること（スクワット）を５，６回行い１０分から１時間ほど間隔おいてまたスクワットをおこなった。
発明者尾関一が７．４メートルの距離をはや足で歩いた。平成１４年１月の脳幹出血の後遺症で左足が障害３級だが杖なしでびっこをしながら歩くことができる。名古屋市から身体障害者手帳が交付された。番号は第２６２４８２号平成１４年７月１５日交付。
歩く距離を７．４メートルとしたのは部屋の中で最大３．７メートルとることができるので往復して歩いて７．４メートルとした。発明者尾関一の生年月日昭和２６年９月２９日６７歳。
【発明の詳細な説明】
【技術分野】
【０００１】  平成３０年１１月２７日から  スクワットを始めその時の７．４メートルの距離をはや歩きで歩き  平成３０年１１月２４日かかった時間が１回目９．１６秒２回目９．４７秒３回目９．５４秒、その１ヶ月後の平成３０年１２月２４日の測定でかかった時間も１回目８．８１秒２回目９．０７秒３回目９．０４秒だった。平成３１年１月２４日は１回目９．０６秒２回目９．５６秒３回目８．３９秒だった。平成３０年１１月２７日から約３か月後の２月２４日は１回目８．９０秒２回目８．２６秒３回目８．５４秒だった。このことにより大腿四頭筋を鍛えれば速く安定して歩くことができることが解る。１日の内スクワットをした時間は朝９時から１２時までと１３時から１７時まででその時間の中で両手で手すりにつかまり直立した状態からしゃがんでまた立ち上がること（スクワット）を５，６回行い１０分から１時間ほど間隔おいてまたスクワットをおこなった。
【背景技術】
【０００２】  筋肉に負荷を与えると筋肉が増大し力がつくという技術とはや歩きの時間を測った時計はストップウオッチでＳＥＩＫＯ  Ｓ０６２ストップウオッチソーラーインターバルタイマー製造番号３４０３２２。
【発明の概要】
【発明が解決しようとする課題】
【０００３】  片方の足に麻痺があり歩くことができる人が  より速く安定して歩くこと。
【課題を解決するための手段】
【０００４】  スクワットをして大腿四頭筋（足のももの足の前部の筋肉）に負荷を与え鍛えた。
【発明の効果】
【０００５】  より速く安定して歩くことができる。
【発明を実施するための最良の形態】
【０００６】  より多くの介護師にスクワットをして大腿四頭筋を鍛えること知ってもらいたい。そうすればより多くの歩きにくい人がより速く安定して歩くことができるようになる。
【はや歩きの距離を７．４メートルとした理由】
【０００７】  部屋の中で最大３．７メートルとることができるので往復して歩いて７．４メートルとした。
【大腿四頭筋が体のバランスをとっている説明】
【０００８】  直立して片手で手すりをつかみもう一方の手で足のももの足の前部をふれると大腿四頭筋は柔らかく、中腰になって足のひざを小さく曲げると大腿四頭筋は固くなり大腿四頭筋は部分的に体重をささえている。また片手で手すりをつかみもう一方の手の平を大腿四頭筋にふれ体重を左右に移動させると大腿四頭筋は固くなったり少し柔らかくなったりする。よって大腿四頭筋は部分的に体の左右のバランスをとっていることが解る。そして歩く時も体重を左右に移動させるので大腿四頭筋は部分的に体の左右のバランスをとっていることが解る。よって  スクワットをして大腿四頭筋に負荷をかけ鍛えれば体がより安定し速く歩くことができる。
【大腿四頭筋を鍛える方法】
【０００９】  スクワットをして大腿四頭筋に負荷をかけ鍛えれば体がより安定し速く歩くことができる。
【７．４メートルをはや足で歩いた人】
【００１０】  発明者尾関一が７．４メートルの距離をはや足で歩いた。平成１４年１月の脳幹出血の後遺症で左足が障害３級だが杖なしでびっこをしながら歩くことができる。名古屋市から身体障害者手帳が交付された。番号は第２６２４８２号平成１４年７月１５日交付。生年月日昭和２６年９月２９日６７歳。
(57)【要約】【課題】特定波長の光を選択的に遮断する際、従来は樹脂製光学フィルムを対象製品に貼付する事で当該機能を付与していた。その為対象製品の物性、形状、及びフィルムが剥離しない使用環境が求められ、窓ガラス、液晶ディスプレイ等が主な用途であり、当該機能の付与対象となる製品、用途は限定されるという課題があった。【解決手段】特定波長の光を選択的に遮断する機能を有する樹脂製光学フィルム、又は同等成分を紛末状、ナノ粒子状に加工し、対象製品に塗布  コーティング加工する事で、フィルムの貼付が困難であった軟らかい素材の製品、複雑な形状の製品、使用上形状変化を必要とする製品、微細な機器部品に対しても、当該機能を付与する事が可能となり、対象となる製品、用途の限定化という課題を解決する。【選択図】なし【特許請求の範囲】
【請求項１】
特定波長の光を選択的に遮断する機能を有する樹脂製光学フィルム、又は同等成分を紛末状、ナノ粒子状に加工した機能性コーティング剤
【請求項２】
請求項１に記載の機能性コーティング剤を対象製品に塗布、コーティング加工する事により、当該機能を付与する加工方法
（ＰＣ方式）
【請求項３】
請求項２に記載の方法により加工され、当該機能を有する製品
【請求項４】
請求項３に記載の製品を使用した機器、及び設備
【発明の詳細な説明】
【技術分野】
【０００１】本発明は「機能性光学フィルムの技術」と「紛体コーティング剤の技術」の応用技術に関する。
【背景技術】
【０００２】機能性光学フィルムの技術（１）
液晶ディスプレイを構成する部材には多くの光学材料が用いられる。
基本的な部材の１つが工学フィルムである。
光学フィルムは「光の振動方向制御」「光の位相差制御」「集光」「光の拡散」等、機能別に多くの種類がある。【０００３】機能性光学フィルムの技術（２）
乗用車の窓ガラスに使用される紫外線だけを遮断する光学フィルム。【０００４】機能性光学フィルムの技術（３）
鉄道車両の窓ガラスに使用される赤外線だけを遮断する光学フィルム。【０００５】紛体コーティング剤の技術（１）
特定機能を有し、塗布、コーティング加工を行う事で対象製品に当該機能を付与する加工材料を機能性コーティング剤と言う。
機能性コーティング剤は、物質特性から３つに分けられる。
（１）液体に加工された溶液コーティング剤
（２）紛末状、ナノ粒子状に加工された紛体コーティング剤
（３）半固体状に加工された、半固体コーティング剤
本発明は（２）の紛体コーティング剤の技術に関する。【０００６】紛体コーティング剤の技術（２）
屋外の建築物の壁面塗装においては、一般に液体塗料よりも、紛末状に加工された紛体塗料の方が日照、風雨等に対して耐久性能が優れているとされる。
塗装対象にエアガン等で紛体塗料を吹き付ける工法を粉体塗装と言う。接着方法は、紛体塗料と接着剤を混ぜて使用する方法と、塗装面に接着剤だけを塗布し、紛体塗料を塗布する方法がある。
【先行技術文献】
【非特許文献】
【０００７】
【非特許文献１】「２０１８年版  ファインケミカル年鑑」ＣＭＣ出版、Ｐ．１３６−１３９
【発明の概要】
【発明が解決しようとする課題】
【０００８】特定波長の光を選択的に遮断する際、従来は樹脂製光学フィルムを対象製品に貼付する事で当該機能を付与していた。
その為、対象製品の物性、形状、及びフィルムが剥離しない使用環境が求められ、窓ガラス、液晶ディスプレイ等が主な用途であり、当該機能の付与対象となる製品、用途が限定されるという課題があった。
【課題を解決するための手段】
【０００９】特定波長の光を選択的に遮断する機能を有する樹脂製光学フィルム、又は同等成分を紛末状、ナノ粒子状に加工し、対象製品に塗布、コーティング加工する事で、フィルムの貼付が困難であった軟らかい素材の製品、複雑な形状の製品、使用上形状変化を必要とする製品、微細な機器部品に対しても、当該機能を付与する事が可能となり、対象となる製品、用途の限定化という課題を解決する。
【実施例】
【００１０】赤外線遮断機能を有する光学フィルム、又は同等成分を紛末状、ナノ粒子状に加工した機能性紛体コーティング剤を建築物の屋根、外壁等に塗装する事で、日照に伴う室内温度上昇が抑えられ、居住快適性、省エネルギー性の向上を提供出来る。【００１１】赤外線遮断機能を有する光学フィルム、又は同等成分を紛末状、ナノ粒子状に加工した機能性紛体コーティング剤を、布地に塗布、コーティング加工を行い、その布地でテントを作ると、外気の熱である赤外線が遮断され、テント内は外より低い温度に保たれる。
又、予め布地に切れ込み等を入れる事で、テント内外の温度差から、空気の流れが生じ、電力等の動力を使わずに風が吹き、冷却効果が得られる。【００１２】赤外線遮断機能を有する光学フィルム、又は同等成分を紛末状、ナノ粒子状に加工した機能性紛体コーティング剤をアスファルト舗装道路に塗装する事で、日照に伴う蓄熱放熱効果が抑えられ、ヒートアイランド現象の改善効果を提供出来る。
(57)【要約】【課題】特定波長の光を選択的に遮断する際、従来は樹脂製光学フィルムを対象製品に貼付する事で当該機能を付与していた。その為対象製品の物性、形状、及びフィルムが剥離しない使用環境が求められ、窓ガラス、液晶ディスプレイ等が主な用途であり、当該機能の付与対象となる製品、用途は限定されるという課題があった。【解決手段】特定波長の光を選択的に遮断する機能を有する樹脂製光学フィルム、又は同等成分を半固体状に加工し、対象製品に塗布  コーティング加工する事で、フィルムの貼付が困難であった軟らかい素材の製品、複雑な形状の製品、使用上形状変化を必要とする製品、微細な機器部品に対しても、当該機能を付与する事が可能となり、対象となる製品、用途の限定化という課題を解決する。（上記の半固体状とは、液体と固体の中間の状態を意味する。液体とは違い常温では形質を保持するが、小さい力学的作用、又は温度変化により、容易に形質を変化させる、固体としては非常に分子間結合力が弱い状態である。主にグリセリン等の油脂、シリコン等の合成樹脂を配合し、加工される。（例）薬用ハンドクリーム、乗用車用固形ワックス）【選択図】なし【特許請求の範囲】
【請求項１】
特定波長の光を選択的に遮断する機能を有する樹脂製光学フィルム又は、同等成分を半固体状に加工した機能性コーティング剤
（上記の半固体状とは、液体と固体の中間の状態を意味する。
液体とは違い常温では形質を保持するが、小さい力学的作用、又は温度変化により容易に形質を変化させる、固体としては、非常に分子間結合が弱い状態である。
主にグリセリン等の油脂、シリコン等の合成樹脂を配合し、加工される。
（例）薬用ハンドクリーム、乗用車用固形ワックス）
【請求項２】
請求項１に記載の機能性コーティング剤を対象製品に塗布、コーティング加工する事により、当該機能を付与する加工方法
（ＧＣ方式）
【請求項３】
請求項２に記載の方法により加工され、当該機能を有する製品
【請求項４】
請求項３に記載の製品を使用した機器、及び設備
【発明の詳細な説明】
【技術分野】
【０００１】本発明は「機能性光学フィルムの技術」と「半固体コーティング剤の技術」の応用技術に関する。
【背景技術】
【０００２】機能性光学フィルムの技術（１）
液晶ディスプレイを構成する部材には多くの光学材料が用いられる。
基本的な部材の１つが光学フィルムである。
光学フィルムは「光の振動方向制御」「光の位相差制御」「集光」「光の拡散」等、機能別に多くの種類がある。【０００３】機能性光学フィルムの技術（２）
乗用車の窓ガラスに使用される紫外線だけを遮断する光学フィルム。【０００４】機能性光学フィルムの技術（３）
鉄道車両の窓ガラスに使用される赤外線だけを遮断する光学フィルム。【０００５】半固体コーティング剤の技術（１）
特定機能を有し、塗布、コーティング加工を行う事で対象製品に当該機能を付与する加工材料を機能性コーティング剤と言う。
機能性コーティング剤は、物質特性から３つに分けられる。
（１）液体に加工された溶液コーティング剤
（２）紛末状、ナノ粒子状に加工された紛体コーティング剤
（３）半固体状に加工された半固体コーティング剤
本発明は、（３）の半固体コーティング剤の技術に関する。【０００６】半固体コーティング剤の技術（２）
半固定コーティング剤の半固体とは、液体と固体の中間の状態を意味する。
液体とは違い常温では形質を保持するが、小さい力学的作用又は温度変化により、容易に形質を変化させる、固体としては非常に分子間結合が弱い状態である。
主にグリセリン等の油脂、シリコン等の合成樹脂を配合し加工される。
（例）薬用ハンドクリーム、乗用車用固形ワックス
【先行技術文献】
【非特許文献】
【０００７】
【非特許文献１】「２０１８年版  ファインケミカル年鑑」ＣＭＣ出版、Ｐ．１３６−１３９
【発明の概要】
【発明が解決しようとする課題】
【０００８】特定波長の光を選択的に遮断する際、従来は樹脂製光学フィルムを対象製品に貼付する事で、当該機能を付与していた。
その為、対象製品の物性、形状、及びフィルムが剥離しない使用環境が求められ、窓ガラス、液晶ディスプレイ等が主な用途であり、当該機能の付与対象となる製品、用途は限定されるという課題があった。
【課題を解決するための手段】
【０００９】特定波長の光を選択的に遮断する機能を有する樹脂製光学フィルム又は同等成分を半固体状に加工し、対象製品に塗布、コーティング加工する事で、フィルムの貼付が困難であった軟らかい素材の製品、複雑な形状の製品、使用上形状変化を必要とする製品、微細な機器部品に対しても当該機能を付与する事が可能となり、対象となる製品、用途の限定化という課題を解決する。
【実施例】
【００１０】赤外線遮断機能を有する光学フィルム、又は同等成分を半固体状に加工し、布地に塗布加工を行い、その布地でテントを作ると、外気の熱である赤外線が遮断され、テント内は外より低い温度に保たれる。
又、予め布地に切れ込み等を入れる事で、テント内外の温度差から空気の流れが生じ、電力等の動力を使わずに風が吹き冷却効果が得られる。
(57)【要約】      （修正有）【課題】ステレオ再生スピーカーシステムでセンター側の音を強調し、コンサートホールの最前列で聞く音に近ずけ、小音量でも音楽を楽しめるセンターピックアップ方式スピーカーシステムを提供する。【解決手段】センターピックアップ方式スピーカーシステムは、音楽を聴くリスナー（人）に対して、ステレオ再生でスピーカーユニット５の音は、図１のようにすべて上下と側面の３方向からなる反射板１、２、３で反射させる構造にする。左スピーカーシステム７及び右スピーカシステムの側面反射板３の頂点６を合わせて、側面反射板３の角度調整をすると、センター側の音が強調され、周りの音は小さくなる。【選択図】図１
2020068519.tif 000002
【特許請求の範囲】
【請求項１】
センターピックアップ方式スピーカーシステムの構造は、スピーカーユニット５の音は、すべて上下と側面の３方向からなる反射板で反射させる構造である。
左右のスピーカーシステム側面反射板３の頂点６を合わせることにより、センター側の音が強調できるのが、センターピックアップ方式スピーカーシステムである。
【発明の詳細な説明】
【技術の分野】
【０００１】  この発明は、ステレオ再生スピーカーシステムで音楽を再生する場合、センター側に聞こえる音を強調し、小音量でも音楽が楽しめる方式である。
【背景技術】
【０００２】  今までのステレオ再生スピーカーシステムは、コンサートホールの中央付近で聞く音の再現を目指していた。
【先行技術文献】
【０００３】なし
【発明の概要】
【発明が解決しようとする課題】
【０００４】  今までのステレオ再生スピーカーシステムでは、コンサートホールの中央付近で聞く音の再現を目指していたが、この方式はクラシックなどオーケストラには向いているが、ポップス・ロック・ジャズなどでは音質的に物足りなさを感じ音量を上げて音楽を再生すると、家族や近所の人に対して騒音問題に発展し、不快感を与えていた。
小音量でも、音楽が楽しめるようにするには、ステレオ再生スピーカーシステムでセンター側の音を強調できれば、コンサートホールの最前列で聞く音に近づき、音量を上げなくても音楽を楽しめる。
【課題を解決するための手段】
【０００５】  音楽を聴くリスナー（人）に対して、ステレオ再生でスピーカーユニット５の音は、図１のようにすべて上下と側面の３方向からなる反射板で反射させる構造にする。
左右のスピーカーシステム側面反射板３の頂点６を図３のように合わせて、側面反射板３の角度調整をすると、センター側の音が強調され、周りの音は小さくなる。
【発明の効果】
【０００６】  音質的に物足りなさを感じていたものが、音がセンター側に強調できると、コンサートホールの最前列で聞く音に近づき、小音量でも充分音楽が楽しめる。
【図面の簡単な説明】
【０００７】
【図１】左側スピーカーシステムの立面図である。
【図２】図１のＡ―Ａ線断面図である。
【図３】左右のスピーカーシステムの頂点部を合わせての使用状況図である。
【発明を実施するための形態】
【構造の説明】
【０００８】  本発明を実施するための形態について説明する。
センターピックアップ方式スピーカーシステムは、左右のスピーカーシステムとも同じ構造で、スピーカーユニット５が収まるキャビネット４と、スピーカーユニット５前側には、図１のように上下と側面の３方向からなる反射板で構成されている。
スピーカーユニット５の取り付けは、図２のように正面を向かず横向きになり、側面反射板３に面し、側面反射板３は斜めに取り付けられている。
左右のスピーカーシステムの側面反射板３の頂点６を図３のように合わせて、側面反射板３の傾ける角度９は、図２のように約４５度を基準にセンターの音が強調できる角度に調整（再生音の指向性が鋭くなる）する。
側面反射板３の頂点６は、図２のようにスピーカーユニット５の口径より前に出る。
左右のスピーカーシステムの側面反射板３の頂点６を図３のように合わせた状態が、センターピックアップ方式のスピーカーシステムになる。
通常のスピーカーシステムに、同上の上下と側面の反射板を取り付け、側面反射板３の頂点６を合わせれば、センターの音が強調され、センターピックアップ方式となる。
側面反射板３の傾斜角度が決定すれば左右一体化で作成可能である。
【発明の効果】
【特徴】
【０００９】  側面反射板３の頂点６を合わせたところを中心にリスナー（人）が位置して音楽を聴くと、音がセンター側に強調され、コンサートホールの最前列で聞く音に近づく。
音楽を聴く位置は、スピーカーシステムに近づけば、さらにセンターの音は強調される。
左右のスピーカーシステム側面反射板３の合わせた頂点６を離し、間隔を広げると、音はセンター側の強調は弱まり、通常のステレオ再生になる。
反射板は、上下の反射板を無くしても側面反射板があればセンターの音の強調は、弱くなるも実施可能である。
センターピックアップ方式で音楽を聴くと、センターの音は強調され周りの音は小さくなっているのが確認できる。
片側の耳に聴覚障害がある人でも、センターピックアップ方式であれば、通常のステレオ再生よりセンターの音が強調されることから、健常者と同程度に音楽が楽しめる。
【符号の説明】
【００１０】１  上側反射板
２  下側反射板
３  側面反射板
４  キャビネット
５  スピーカーユニット
６  頂点
７  左スピーカー
８  右スピーカー
９  角度
【図１】
2020068519.tif 000003
【図２】
2020068519.tif 000004
【図３】
2020068519.tif 000005
(57)【要約】【課題】  写真撮影の時に、ライト（例えばＬＥＤなど）で照らせる携帯通信機器（例えば携帯電話とか、スマートフォンとか、タブレットとか、カメラとか）を提供する。【解決手段】    携帯通信機器（例えば携帯電話とか、スマートフォンとか、タブレットとか、カメラとか）で、ライト（例えばＬＥＤなど）が付いており、カメラの写真撮影の時、及びカメラの写真撮影の前後、光量の不足に際し、必要に応じて、ライトを点灯し、アナログ回線のボリュームなどを使用して、ライトの明暗、乃至は強弱を調節する事が出来る携帯通信機器を特徴とする。【選択図】図１
2020068526.tif 000002
【特許請求の範囲】
【請求項１】
カメラにライトが付いており、カメラの写真撮影の時、及びカメラの写真撮影の前後、光量の不足に際し、必要に応じて、ライトを点灯し、アナログ回線のボリュームなどを使用して、ライトの明暗、乃至は強弱を調節する事が出来る携帯電話。
【請求項２】
カメラにライトが付いており、カメラの写真撮影の時、及びカメラの写真撮影の前後、光量の不足に際し、必要に応じて、ライトを点灯し、アナログ回線のボリュームなどを使用して、ライトの明暗、乃至は強弱を調節する事が出来るスマートフォン。
【請求項３】
カメラにライトが付いており、カメラの写真撮影の時、及びカメラの写真撮影の前後、光量の不足に際し、必要に応じて、ライトを点灯し、アナログ回線のボリュームなどを使用して、ライトの明暗、乃至は強弱を調節する事が出来るタブレット。
【請求項４】
カメラにライトが付いており、カメラの写真撮影の時、及びカメラの写真撮影の前後、光量の不足に際し、必要に応じて、ライトを点灯し、アナログ回線のボリュームなどを使用して、ライトの明暗、乃至は強弱を調節する事が出来るカメラ。
【発明の詳細な説明】
【技術分野】
【０００１】  この発明は、写真撮影の時に、ライト（例えばＬＥＤなど）で照らせる携帯通信機器に関するものである。
【背景技術】
【０００２】  従来、携帯通信機器（例えば携帯電話とか、スマートフォンとか、タブレットとか）で、写真撮影の時に、光量が不足して、影が映り込む事があったが、ライトが付いていなかったり、付いていたとしても、ライトの明暗、乃至は強弱を調節する事が出来なかった。
【先行技術文献】
【特許文献】
【０００３】
【特許文献１】特開２００４−１９４０８３  号公報
【発明の概要】
【発明が解決しようとする課題】
【０００４】  これは、次のような欠点があった。
従来、携帯通信機器（例えば携帯電話とか、スマートフォンとか、タブレットとか）で、写真撮影の時に、光量が不足して、影が映り込む事があったが、ライトが付いていなかったり、付いていたとしても、ライトの明暗、乃至は強弱を調節する事が出来なかった。
これなどは、周りが暗いのに、顔だけ極端に明るく写り込んでいたり、いろいろ不便が多かった。
また、機種にもよるが、ライトはライトのみの機能を使ってライトを点灯し、カメラはカメラのみの機能を使ってカメラを撮影するものであり、もし、カメラを撮影したい時、ライトが点灯していれば、一旦、ライトを消灯して、それからカメラを撮影する他は無く、たとえ、ライトの光量が不足しているといえど、ライトとカメラを同時に使う機能は無い機種もあった。
また、カメラを撮影する瞬間のみ、ライトを点灯する機能は、ある特定の機種（例えば、ｉＰｈｏｎｅなど。）にはあったが、カメラを撮影する前後（例えば、焦点やピントを合わせる時など。）は、常時、ライトが点灯する機能は、出願した当時は、無かった。
本発明は、以上のような欠点をなくすためになされたものである。
【課題を解決するための手段】
【０００５】  携帯通信機器（例えば、携帯電話とか、スマートフォンとか、タブレットとか）で、ライト（例えばＬＥＤなど）が付いており、カメラの写真撮影の時、及びカメラの写真撮影の前後、光量の不足に際し、必要に応じて、ライトを点灯し、アナログ回線のボリュームなどを使用して、ライトの明暗、乃至は強弱を調節する事が出来る携帯通信機器。
本発明は、以上の構成よりなる携帯通信機器である。
【発明の効果】
【０００６】  携帯通信機器（例えば携帯電話とか、スマートフォンとか、タブレットとか）で、写真撮影の時に、ライト（例えばＬＥＤなど）で照らすので、影が映り込まず、明るい自然な色で写真が撮れる。
【図面の簡単な説明】
【０００７】
【図１】  本発明の携帯電話の背面図である。
【図２】  本発明のスマートフォンの背面図である。
【図３】  本発明のタブレットの背面図である。
【発明を実施するための形態】
【０００８】  以下、本発明を実施するための形態について説明する。
携帯通信機器（例えば、携帯電話とか、スマートフォンとか、タブレットとか）で、ライト（例えばＬＥＤなど）が付いており、カメラの写真撮影の時、及びカメラの写真撮影の前後、光量の不足に際し、必要に応じて、ライトを点灯し、アナログ回線のボリュームなどを使用して、ライトの明暗、乃至は強弱を調節する事が出来る携帯通信機器。
尚、ここでは、特許請求の範囲の中に、カメラも入れているが、それは、カメラがＧＰＳ携帯通信機器の機能なども備えているからである。
本発明は、以上のような構成である携帯通信機器である。
【符号の説明】
【０００９】    １  カメラ
２  ライト
３  携帯電話
４  スマートフォン
５  タブレット
６  テジタル回路の携帯通信機器回路
７  アナログ回路のボリュウーム
８  コード
９  バッテリー
【図１】
2020068526.tif 000003
【図２】
2020068526.tif 000004
【図３】
2020068526.tif 000005
【図４】
2020068526.tif 000006
【図４】
2020068526.tif 000007
【手続補正書】
【提出日】令和1年11月18日(2019.11.18)
【手続補正１】
【補正対象書類名】明細書
【補正対象項目名】０００７
【補正方法】変更
【補正の内容】
【０００７】
【図１】  本発明の携帯電話の背面図である。
【図２】  本発明のスマートフォンの背面図である。
【図３】  本発明のタブレットの背面図である。
【図４】  本発明のカメラの正面図である。
【図５】  本発明の、テジタル回路の携帯通信機器回路とアナログ回路のボリュウームなどを、バッテリーで共用させた、電子回路の応用例である。
【手続補正２】
【補正対象書類名】図面
【補正対象項目名】全図
【補正方法】変更
【補正の内容】
【図１】
2020068526.tif 000008
【図２】
2020068526.tif 000009
【図３】
2020068526.tif 000010
【図４】
2020068526.tif 000011
【図５】
2020068526.tif 000012
(57)【要約】【課題】乾電池の液漏れを長らえることで、乾電池の液漏れの被害を少なくすること。【解決手段】バイメタルの温度差による変形で、乾電池を回す。【選択図】図１
2020068189.tif 000002
【特許請求の範囲】
【請求項１】
バイメタルによる日々の温度差による変形量を、乾電池を回す回転力に変える手段を有し、その電池を回すことで、電解液が自重による電極の片減りを無くすことで液漏れの時期を長らえる乾電池の液漏れ防止装置。
【発明の詳細な説明】
【技術分野】
【０００１】  本発明は、乾電池などの液漏れの時期を長らえる乾電池の液漏れ防止装置に関する。
【背景技術】
【０００２】  電子機器に乾電池を入れたままにしておくと液漏れが発生し、電子機器を汚すばかりか、滲出した電解液の腐食により、電子機器が故障することがままあった。
【発明の開示】
【発明が解決しようとする課題】
【０００３】  乾電池の液漏れは、電極の地の部分が破れ、溜まっていた電解液が噴出して、周りの電子部品などに掛かっているのが見られる。
長時間電子機器を放置していると、電解液が自重で地の方に溜まり、この部分と接触している電極が片減りすることで、液漏れする時期が早まる。
本発明は、電解液の自重により腐食する部分が一部分に偏るのを、乾電池を回すことで解決し、かつ、簡単で低価格な機構であることを課題とする。
【課題を解決するための手段】
【０００４】  第１図において、乾電池（１）と電池ボックス（２）の隙間に、本体のスペース（３）が収まるように配置する。
第２図は、本体のスペース（３）の側面図の左下に配置したものを、理解できやすいように４５度左回転した平面図である。
のこぎり歯状板Ａ（５）と、のこぎり歯状板Ｂ（６）は、フレーム（８）に固定されている。
のこぎり歯状板Ｃ（７）は、バイメタル（４）の端に固定されている。
バイメタル（４）は、バイメタル固定部（９）によって、フレーム（８）に固定されている。
のこぎり歯状板Ａ（５）、のこぎり歯状板Ｂ（６）、および、のこぎり歯状板Ｃ（７）は、第１図の拡大図のように、乾電池（１）に接している。【０００５】  第３図において、日々の温度差の低温から高温の変化を示すものである。
夜の低温では、バイメタル（４）の高膨張側（１１）が縮小して、低温時位置（１５）にある。
それが、朝から昼と経過すると、バイメタル（４）の高膨張側（１１）が膨張し、高温時位置（１６）に移動する。
そのとき、のこぎり歯状板Ｃ（７）は、鋭角の歯が乾電池（１）に引っかかり、高温変化（１２）の動きを乾電池の回転（１３）として乾電池（１）に伝える。
のこぎり歯状板Ａ（５）、のこぎり歯状板Ｂ（６）は、乾電池の回転（１３）にたいして、引っかからないので動きの妨げにならない。【０００６】  第４図において、日々の温度差の高温から低温の変化を示すものである。
昼の高温では、バイメタル（４）の高膨張側（１１）が膨張して、高温時位置（１６）にある。
それが、夕方から夜と経過すると、バイメタル（４）の高膨張側（１１）が縮小し、低温時位置（１５）に移動する。
そのとき、のこぎり歯状板Ｃ（７）は、乾電池（１）に引っかからないので、低温変化（１４）の動きを伝えず、乾電池（１）は回転しない。
このとき、のこぎり歯状板Ａ（５）、のこぎり歯状板Ｂ（６）の鋭角の歯が引っかかり、のこぎり歯状板Ｃ（７）の低温変化（１４）の動きによって、乾電池（１）が回らないように作用する。
【発明の効果】
【０００７】  日々の温度差が、バイメタル（４）によって移動量に変化し、さらに、乾電池（１）を回転させる。
この回転量は、数ヶ月に１回転というように僅かな回転量だが、乾電池（１）内部の電解液が地に溜まって電極が腐食している位置を変えてくれるので、結果的に片減りのない全体的に減っていく状態になるので、液漏れの時期が延びる効果がある。
また、電解液が撹拌されるので、乾電池（１）自体活性化し、放電を最大限出し切るので、寿命が伸びる効果もある。
乾電池だけではなく、電解コンデンサなどの電解液を内蔵して化学反応を利用する部品などにも本発明が適用できる。
【図面の簡単な説明】
【０００８】
【図１】本発明の配置図である。
【図２】本発明の平面図である。
【図３】本発明の低温から高温の変化を見る説明図である。
【図４】本発明の高温から低温の変化を見る説明図である。
【発明を実施するための形態】
【０００９】  本発明は、既存の電池ボックス（２）の、本体のスペース（３）に設置できる。
また、電池ボックス（２）に、フレーム（８）を一体としてもよい。
【符号の説明】
【００１０】  １  乾電池                        ２  電池ボックス
３  本体のスペース                ４  バイメタル
５  のこぎり歯状板Ａ              ６  のこぎり歯状板Ｂ
７  のこぎり歯状板Ｃ              ８  フレーム
９  バイメタル固定部            １０  低膨張側
１１  高膨張側                    １２  高温変化
１３  乾電池の回転                １４  低温変化
１５  低温時位置                  １６  高温時位置
【図１】
2020068189.tif 000003
【図２】
2020068189.tif 000004
【図３】
2020068189.tif 000005
【図４】
2020068189.tif 000006
(57)【要約】【課題】  農業において病害虫の被害対策は大きな課題であるが、従来は農薬に多くを頼ってきた。しかし、今日の安全志向の世の中においては減農薬の要望が高まっている。【解決手段】  病害虫の中でも特に昆虫等は摂氏４５度以上の温度で死滅するものが多いことが知られていることから、熱湯の効果が期待できる。しかし、従来の噴霧器には、高温の液体を噴霧する仕様のものが無かった。今回この点に着目して液タンクを魔法瓶とし、安定的に熱湯を散布できる噴霧器を考案した。  この噴霧器を使えば、安定して熱湯を噴霧でき、農薬等を使わなくても病害虫特に害虫の駆除に効果が期待できる。【選択図】図１
2020068752.tif 000002
【特許請求の範囲】
【請求項１】
噴霧ノズル（１）に装着する液タンク（２）を保温性の高い魔法瓶とした噴霧器。
【発明の詳細な説明】
【技術分野】
【０００１】  この発明は、液タンクがステンレス魔法瓶等の魔法瓶であることを特徴とする噴霧器に関するものである。
【背景技術】
【０００２】  従来の噴霧器には、高温の液体を噴霧する仕様のものが無かった。今回、熱湯による殺虫殺菌効果が得られるよう熱湯の温度を維持して散布できるように考案した。
【先行技術文献】
【０００３】
【特許文献１】
【発明の概要】
【発明が解決しようとする課題】
【０００４】  農業において病害虫の被害対策は大きな課題であるが、従来は農薬に多くを頼ってきた。しかし、今日の安全志向の世の中においては減農薬の要望が高まっている。
【課題を解決するための手段】
【０００５】  その中で、特に害虫である昆虫等は摂氏４５度以上の温度では死滅するものが多いことが知られていることから、熱湯の効果が期待できる。今回この点に着目して液タンクを魔法瓶とし、安定的に熱湯を散布できる噴霧器を考案した。
【発明の効果】
【０００６】  この噴霧器を使えば、安定して熱湯を噴霧でき、農薬等を使わなくても病害虫特に害虫の駆除に効果が期待できる。
【図面の簡単な説明】
【０００７】
【図１】  本発明の側面図である。
【発明を実施するための形態】
【０００８】  以下、本発明を実施するための形態について説明する。
本発明は形状は従来の噴霧器と変わらないが、液タンクが保温性の高い魔法瓶であることを特徴とする。
これを使用するときは、液タンクに熱湯を入れて使用する。
【符号の説明】
【０００９】  １  噴霧ノズル
２  液タンク（魔法瓶）
【図１】
2020068752.tif 000003
(57)【要約】      （修正有）【課題】屋根面の軒先部からやや離間した位置に雪止め部材を設置することにより、屋根面の最上位から軒先部に向かって滑落する積雪によって雨樋等が破損したり、人体に衝撃を与えることのないようにする設備を安価に提供する。【解決手段】雪止め装置全体の構成は、適当な広面積に成る台枠材１上に設置する雪止め部材７において、屋根勾配面とは逆勾配面の後傾角度に成る垂直杆８とその上端部から前側方向に形成する傾斜杆９と傾斜杆９の適所に支持杆１０を架設して成る屋根用雪止め具、屋根用雪止め装置。【選択図】図４
2020204206.tif 000002
【特許請求の範囲】
【請求項１】
適当な広面積に成る台枠材上に設置する雪止め部材において、屋根勾配面とは逆勾配面の後傾角度に成る垂直杆部とその上端部から前側方向に形成する傾斜杆部と傾斜杆部の適所に支持杆を架設して成ることを特徴とする屋根用雪止め具。
【請求項２】
適当な広面積に成る台枠材上に設置する雪止め部材において、屋根勾配面とは逆勾配面の後傾角度に成る垂直杆部とその上端部から前側方向に形成する傾斜杆部と傾斜杆部の適所に支持杆を架設して成ることを特徴とする屋根用雪止め装置。
【発明の詳細な説明】
【技術分野】
【０００１】
本発明は、屋根面における軒先部に近接して設置する雪止め具及び装置に関するものである。
【背景技術】
【０００２】
本発明の出願人にあっては、すでに次の公開特許公報に掲載された２件の新技術を創作しているが、その技術内容はやや複雑であるために、実施できない状況にあるとところ、これをさらに改良して実施しようとするものである。
【先行技術文献】
【特許文献】
【０００３】
【特許文献１】特開２０００−２７４０１９号公開特許公報
【特許文献２】特開２００６−２０７２３４号公開特許公報
【発明の概要】
【発明が解決しようとする課題】
【０００４】
本発明は、屋根面の軒先部からやや離間した位置に雪止め部材を設置することにより、屋根面の最上位から軒先部に向かって滑落する積雪によって雨樋等が破損したり、人体に衝撃を与えることのないようにすることを目的とする設備を安価に提供することを目的とするものである。
【課題を解決するための手段】
【０００５】
本発明に係る雪止め装置全体の構成は、適当な広面積に成る台枠材上に設置する雪止め部材において、屋根勾配面とは逆勾配面の後傾角度に成る垂直杆部とその上端部から前側方向に形成する傾斜杆部と傾斜杆部の適所に支持杆を架設して成る屋根用雪止め具であり、装置である。
【発明の効果】
【０００６】
このように構成した雪止め装置の屋根面上における機能を説明すると、前記傾斜線部材の軒先部側の形状が屋根勾配面とは反対方向の尖鋭角形に突出した形状に成るから、尖鋭角形突出部の底辺部は、屋根面の軒先部から隔離した内側勾配面の方向に配置されることになり、屋根面を滑降して来た積雪に対しては反抗作用を起こすことになって阻止し、軒先部下方への滑落を確実に防止するようになるのである。
【０００７】
また、前記傾斜線部材における尖鋭角形の突出部分は、外部における複数の垂直杆との間に支持杆をそれぞれ設置していることによって、耐久力を発揮して安定性を保持することができるのである。
【０００８】
さらに、本発明に係る構成による装置の設置コストは比較的安価となるから、普及性が高いといえる。
【図面の簡単な説明】
【０００９】
【図１】全体の正面斜視図
【図２】全体の背面図
【図３】全体の底面図
【図４】全体の右側面図
【発明を実施するための形態】
【００１０】
本発明の構成にあっては、屋根面の軒先部に近接する位置までの間は空間状態にあるとともにこの空間状態部分を被うように尖鋭角形突出部を位置せしめているから、積雪の滑降を軒先部手前において阻止する機能を発揮することになるのである。
【実施例】
【００１１】
１は全体が長方形状に成る台枠材で、この台枠材は長尺の横板２，２と短尺の縦板３，３から成り、横板２，２間には中縦板４，４，４が、縦板３，３間には中横板５，５を架設して成る。
【００１２】
６，６は左右両側端部に設ける前記縦板３，３の後端部に設ける掛止杆で、この掛止杆は屋根軒先部に掛け止めるようにする・
【００１３】
７は前記台枠材１の上側部において設置する雪止め部材で、この雪止め部材は等間隔に立設する多数の後傾垂直杆８・・と屋根峯方向への多数の前傾傾斜杆９・・とから構成されている。
【００１４】
１０・・は前記雪止め部材７を構成する後傾垂直杆８・・の基部と屋根峯方向への前傾傾斜杆９・・の適所との間に架設する支持杆で、この支持杆は間隔をおいて多数設けることになる。
【００１５】
１１・・は多数の前記後傾垂直杆８・・間に間隔をおいて架設する後横杆で、この後横杆と同様機能の前横杆１２・・を前記前傾傾斜杆９・・間に間隔をおいて架設する。
【符号の説明】
【００１６】
１                          台枠材
２，２                      横板
３，３                      縦板
４，４，４                  中縦板
５，５                      中横板
６，６                      掛止杆
７                          雪止め部材
８・・                      後傾垂直杆
９・・                      前傾傾斜杆
１０・・                    支持杆
１１・・                    後横杆
１２・・                    前横杆
【図１】
2020204206.tif 000003
【図２】
2020204206.tif 000004
【図３】
2020204206.tif 000005
【図４】
2020204206.tif 000006